(57)【要約】【課題】より多様な商品陳列を図る陳列用具を提供すること。【解決手段】互いに相対する二面を有する商品陳列用具（１０，１２）は、その両面にそれぞれ階段状に連なる複数の商品載置部（２０，２２）を有し、一面の商品載置部と他面の商品載置部とは段差（ａ，ｂ）の程度を異にする。【選択図】図１
2005253523.tif 000002
【特許請求の範囲】
【請求項１】
互いに相対する二面を有する商品陳列用具であって、両面にそれぞれ階段状に連なる複数の商品載置部を有し、一面の商品載置部の段差と他面の商品載置部の段差とは異なる、商品陳列用具。
【請求項２】
前記一面の複数の商品載置部は互いに平行であり、また前記他面の複数の商品載置部は互いに平行である、請求項１に記載の商品陳列用具。
【請求項３】
前記両面の少なくとも一方の商品載置部は波形を呈する凹凸面からなる、請求項１に記載の商品陳列用具。
【請求項４】
前記一面の商品載置部の数と、前記他面の商品載置部の数とは同一である、請求項１に記載の商品陳列用具。
【請求項５】
前記一面の商品載置部の数と、前記他面の商品載置部の数とは異なる、請求項１に記載の商品陳列用具。
【請求項６】
前記一面の商品載置部の数と、前記他面の商品載置部の数とはそれぞれ４及び２である、請求項５に記載の商品陳列用具。
【請求項７】
前記商品載置部の数が２である前記商品載置部は、その伸長方向に関して異なる長さ寸法を有する、請求項６に記載の商品陳列用具。
【請求項８】
前記一面の商品載置部と、前記他面の商品載置部とは互いに反対方向へ伸びている、請求項１に記載の商品陳列用具。
【請求項９】
前記一面の商品載置部の深さと、前記他面の商品載置部の深さとが異なる、請求項１に記載の商品陳列用具。
【発明の詳細な説明】
【技術分野】
【０００１】
本発明は、スーパーマーケットのような店舗に置かれる陳列台や冷蔵ショーケース内に商品を並べる際に用いられる陳列用具に関する。
【背景技術】
【０００２】
従来、商品の陳列に供される用具が提案されており、この商品陳列用具は、互いに相対する二面にそれぞれ階段状に伸びる複数の商品載置部と傾斜面からなる一の商品載置部とを有する。
【０００３】
【特許文献１】特開２０００−３５４５２９号公報
【特許文献２】特開２００１−１９７９８４号公報
【発明の開示】
【発明が解決しようとする課題】
【０００４】
これらの商品陳列用具によれば、陳列される商品の種類、大きさ、長さ等に応じたそのディスプレイ効果を勘案して、商品の両載置部を選択的に利用することが可能である。しかし、一面の商品載置部は、階段状に伸びる他面の商品載置部と異なり、単一の傾斜面からなるため、多様な商品配置の実現と、これによる商品のディスプレイ効果の向上とを図る上で十分でない。
【０００５】
本発明の目的は、より多様な商品陳列を図る陳列用具を提供することにある。
【課題を解決するための手段】
【０００６】
本発明は商品陳列用具に係り、該用具は互いに相対する二面を有し、これらの両面にそれぞれ階段状に連なる複数の商品載置部を有し、一面の載置部と他面の載置部とは段差の程度を異にする。
【０００７】
前記一面の複数の商品載置部が互いに平行でありかつ前記他面の複数の商品載置部が互いに平行であるものとすることができる。また、前記両面の少なくとも一方の載置部が波形を呈する凹凸面からなるものとすることができる。
【０００８】
前記一面の商品載置部の数と前記他両の商品載置部の数とを同一とし、あるいは異なるもの例えば４及び２とからなるものとすることができる。前記商品載置部の数を２とする例においては、さらにその伸長方向に関して異なる長さ寸法を有するものとすることができる。また、前記一の商品載置部と前記他面の商品載置部とは互いに反対方向へ伸びるものとすることができる。さらに、前記一面の商品載置部の深さと、前記他面の商品載置部の深さとが異なるものとすることができる。
【発明の効果】
【０００９】
本発明によれば、商品陳列用具がその両面のそれぞれに複数の商品載置部を有し、これらの商品載置部がそれぞれ階段状を呈することから、そのいずれか一方の商品載置部を選択した上で、商品陳列用具を陳列台の上や冷蔵ショーケースの内部に配置し、商品陳列の用に供することができる。
【００１０】
また、両面における商品載置部の段差に相違があることから、陳列予定である商品の種類や、大きさ、長さ等を考慮した前記商品載置部の選択が可能であり、これにより、よりバラエティに富んだ商品陳列態様とすることができる。
【００１１】
両面の商品載置部をそれぞれ互いに平行なものとすることにより、各面における複数の商品載置部による均整のとれた商品配列を実現することができる。また、少なくとも一方の面における商品載置部を波形を呈する凹凸面とするときは、該凹凸面をストッパとして、前記商品載置部上におかれる商品のずれ及びこれに伴う商品の不揃いを防止することができる。
【００１２】
両面の商品載置部は、これらの数量について、商品の陳列場所（例えば陳列台の上や冷蔵ショーケースの内部）、陳列される商品の種類や大きさ、長さ等を考慮にいれて、同じに又は異なるように設定することができる。一面の商品載置部の数量（例えば２）について、他面の商品載置部の数量とは異なるもの（例えば４）とするときは、表面積の異なる商品載置部を有するものとすることができ、これにより、商品の陳列により適合する、さらに態様の異なる商品配列を行うことができる。また、前記少ない数量の商品載置部についてこれらの長さ寸法を異なるものとすることにより、より一層バラエティに富んだ商品配置を実現することができる。両面の階段状の商品載置部は互いに反対方向へ伸びるものとすることができる。また、前記一面の商品載置部の深さと、前記他面の商品載置部の深さとが異なるものとすることによっても、商品の陳列により適合する、さらに態様の異なる商品配列を行うことができる。
【発明を実施するための最良の形態】
【００１３】
図１〜図４及び図５〜図８を参照すると、スーパーマーケットのような店舗において食料品のような商品を陳列するために用いられる商品陳列用具（以下単に「陳列用具」という。）の一例及び他の一例がそれぞれ全体に符号１０及び１２で示されている。
【００１４】
陳列用具１０，１２は、それぞれ、商品を陳列する目的で設置されるもの、例えば平板状の陳列台１４や、冷蔵ショーケース１６の内部に配置される。
【００１５】
図示の例にあって、陳列用具１０は特に陳列台１４上への配置に適し、また陳列用具１６は、特に、ブロック１８を枕にして、冷蔵ショーケース１６内の平坦面３６（図５参照）上に配置するのに適する。しかし、陳列用具１０を冷蔵ショーケース１６の前記平坦面上に配置し、また陳列用具１２を陳列台１４上にブロック１８を枕にして又はブロック１８の不使用下で配置して使用することも可能である。
【００１６】
陳列用具１０は互いに相対する一面及び他面を有し、これらの両面にそれぞれ階段状に伸びる複数の商品載置部（以下単に「載置部」という。）２０と、同様に階段状に伸びる複数の商品載置部（以下単に「載置部」という。）２２とを有する。
【００１７】
両面における複数の載置部２０及び複数の載置部２２は、それぞれ、複数の立ち上がり部２１及び複数の立ち上がり部２３を介して互いに連なっている。陳列用具１０，１２は、それぞれ、一面の商品載置部（例えば商品載置部２０）が上方に向けられかつ他面の商品載置部（例えば商品載置部２２）が下方に向けられた状態で使用される。
【００１８】
陳列用具１０，１２は、図示の例では、全体に矩形の平面形状を有する板状体からなり、互いに相対する一対の端部２４と互いに相対する一対の側部２６とを有する。これらの端部２４及び側部２６は複数の載置部２０及び複数の載置部２２の両端面及び両側面を規定する。
【００１９】
また、各陳列用具１０，１２は、該陳列用具の一方の端部２４及び他方の端部２４を逆にした状態で使用することもできる。
【００２０】
複数の載置部２０及び複数の載置部２２は、それぞれ、階段状を呈するように陳列用具１０，１２の一方の端部２４から他方の端部２４に向けて伸びているため、陳列用具１０，１２は、複数個所で屈曲した屈曲板状を呈する。
【００２１】
載置部２０，２２は異なる大きさの段差（すなわち立ち上がり部２１，２３の高さ寸法）を有する。より詳細には、前記一面における載置部２０は段差ａ（図１，５参照）を有し、前記他面における載置部２２は段差ｂ（図２，５参照）を有する。
【００２２】
図示の陳列用具１０にあっては段差ａのほうが段差ｂより大きい。このため、前記一面の載置部２０のほうが前記他面の載置部２２より深さが深い。また、陳列用具１２にあっては、段差ａのほうが段差ｂより小さい。このため、前記一面の載置部２０のほうが前記他面の載置部２２より深さが浅い。
【００２３】
これらのことから、陳列される商品の大きさ、長さ、種類等に応じて、陳列用具１０，１２を選択し、さらにこれらの載置部２０，２２を選択し、該選択により、商品配置についてのより高いディスプレイ効果を得ることができる。
【００２４】
陳列用具１０においては、載置部２０及び載置部２２が、それぞれ、比較的表面積が大きい平坦な一の部分２５とこれに連なりかつ角度をなして交差する、比較的表面積が小さい平坦な他の部分２７とからなる。これに対し、前記他面における載置部２２の一の部分２５が波形を呈する凹凸面からなる。各載置部について、一の部分２５と他の部分２７とからなる図示の例に代えて、各載置部の全てが一の部分２５と同様の平坦面のみからなるものとし、あるいは前記凹凸面のみからなるものとすることができる。
【００２５】
前記凹凸面は陳列用具１０の両側部２６の一方から他方まで直線的に伸びている。前記凹凸面における凹凸部の数及び凹凸部の相互間隔は任意に定めることができる。前記凹凸面は、例えばプラスチック容器に収納されたいわゆる複数のパック商品をそれぞれ前記載置部における凸部相互間に立て並べて配置することを可能とし、これにより、前記載置部上から前記パック商品の一つ又はそれ以上を抜き去ったとき、残りの他のパック商品を前記載置部上で自立するように維持する役目を果たす。また、例えば長物の商品を上段の載置部２２に立てかけてその下段の載置部２２に載せる場合、前記長物商品が前記下段の載置部の一の部分２５上を滑り、その傾き角度が変化してそのディスプレイ効果を損なうことを防止するストッパとしての役割をなす。
【００２６】
他面の載置部２２の一の部分２５だけでなく、両面の載置部２０，２２の双方が前記したと同様の凹凸面からなる一の部分２５を有するものとすることができる。あるいは、両載置部２０，２２の双方の一の部分２５が平坦面からなるものとすることができる。
【００２７】
各陳列具１０，１２における前記一方の面の複数の載置部２０（より正確にはその一の部分２５）は互いに平行であり、また前記他方の面における複数の載置部２２（より正確にはその一の部分２５）は互いに平行である。載置面同士を平行とすることにより、載置部２０，２２による均整のとれた商品陳列用ひな壇を形成することができる。
【００２８】
前記一面の載置部２０の数量及び前記他面の載置部２２の数量ついては、陳列具１０におけるように、それぞれ、同数（図示の例では５）とすることができ、あるいはこれに代えて５以外の他の数とすることが可能である。また、陳列具１２におけるように、前記一面の載置部２０の数量と前記他面の載置部２２の数量とを互いに異なるものに設定することができる。
【００２９】
また、各陳列具１０，１２において、載置部２０，２２の立ち上がり部２１，２３が、それぞれ、載置部２０，２２における広い面積の一の部分２５の先端からわずかに上方へ突出する突出部分２８，３０を有するものとすることができる。各突出部分２８，３０の存在により、各載置部２０，２２からその下の載置部への商品の滑り落ちを防止することができる。
【００３０】
陳列用具１０については、その各端部２４がその上下にそれぞれ両突出部分３２，３４を有するものとすることができる。
【００３１】
より詳細には、陳列用具１０の前記他面についてみると、比較的小さい突出長さを有する突出部分３４が、陳列用具１０の一端に位置する一の部分２５の先端にあり、また、比較的大きい突出長さを有する突出部分３２が陳列用具１０の他端に位置する他の部分２７の先端に位置する。しかも、両端２４における突出部分３４，３２は、これらの先端が、前記段差を規定する各立ち上がり部の突出部分３０と同一平面上にある。したがって、これらの突出部分３４，３２，３０をもって陳列用具１０を陳列台１４上に支持することができる。
【００３２】
反対に、陳列用具１０の前記一面についてみると、比較的大きい突出長さを有する突出部分３２が、陳列用具１０の一端に位置する他の部分２７の先端にあり、また、比較的小さい突出長さを有する突出部分３４が陳列用具１０の他端に位置する一の部分２５の先端に位置する。しかも、両端２４における突出部分３４，３２は、これらの先端が、前記段差を規定する各立ち上がり部の突出部分２８と同一平面上にある。したがって、これらの突出部分３４，３２，２８により陳列用具１０を陳列台１４上に支持することができる。
【００３３】
図５〜図８に示す陳列用具１２は、陳列用具１０とは次の点で異なる。
【００３４】
まず、前記一面側の載置部２０の数（図示の例では４）と、前記他面側の載置部２２の数（図示の例では２）とが相違する。但し、載置部２０，２２の数量は任意に定めることができる。
【００３５】
陳列用具１２の載置部２０は、図１〜図４に示す陳列用具１０と異なり、立ち上がり部２１に連なる他の部分２７と一の部分２５とが成す交差角度が異なる。より詳細には、陳列用具１２における前記交差角度が、陳列用具１０における前記交差角度より大きいものに設定されている。
【００３６】
また、陳列用具１２の両端面２４上には、陳列用具１０と異なり、それぞれ、上方へわずかに突出する突出部３８のみが設けられている。これらの突出部３８は、載置部２０に置かれる商品の滑り落ちを防止するストッパとしての機能を有するほか、陳列用具１２を裏返しにして使用するとき、冷蔵ショーケースの平坦面３６及びブロック１８に接して陳列用具１２を支持する機能を併せ有する（図６参照）。
【００３７】
さらに、陳列用具１０と異なり、最上段の載置部２０の一の部分２５に連なる他の部分２７が、その以外の他の部分２７より大きい面積を有する。
【００３８】
次に、陳列用具１２の前記他面について見ると、２つの載置部２２はそれぞれ水平な平坦面からなり、これらは相互に立ち上がり部２３に連なっている。２つの載置部２２のうちの一方の載置部と他方の載置部とは、陳列用具２２の長手方向に関して、長さ寸法が異なるものに設定されている。図示の例では、前記一方の載置部の長さ寸法が前記他方の載置部の長さ寸法より大きい。長さ寸法を異にすることにより、陳列される商品の種類や長さ、大きさ等、特に長さ寸法に即した商品の配列を容易に行うことができる。
【００３９】
陳列用具１２をその表裏又は両端を逆にして用いるとき、ブロック１８に設けられた面取り部４０を利用してこれに陳列用具１２の一の部分２５を当接させてその端部を支持することができる。これにより、載置部２０を所望の角度に設定することができる。
【００４０】
陳列用具１０，１２は、それぞれ、これが単独で使用することができるほか、複数の陳列用具１０，１２をそれぞれ互いに側部２６で接するように並べて配置し、使用に供することができる。
【図面の簡単な説明】
【００４１】
【図１】商品陳列用具の一例の斜視図である。
【図２】図１に示す商品陳列具を裏返しにした状態の斜視図である。
【図３】図１に示す商品陳列具の両端を逆にした状態の斜視図である。
【図４】図２に示す商品陳列具を裏返しにした状態の斜視図である。
【図５】商品陳列具の他の例の斜視図である。
【図６】図５に示す商品陳列具を裏返しにした状態の斜視図である。
【図７】図５に示す商品陳列具の両端を逆にした状態の斜視図である。
【図８】図６に示す商品陳列具を裏返しにした状態の斜視図である。
【符号の説明】
【００４２】
１０，１２  商品陳列具
２０，２２  商品載置部
【図１】
2005253523.tif 000003
【図２】
2005253523.tif 000004
【図３】
2005253523.tif 000005
【図４】
2005253523.tif 000006
【図５】
2005253523.tif 000007
【図６】
2005253523.tif 000008
【図７】
2005253523.tif 000009
【図８】
2005253523.tif 000010